(57)【要約】【課題】自動でＩＤを付与することができるとともに、個々の表示装置が故障などで停止しても、他の表示装置は、その影響を受けずに動き続けることができる表示装置システムを提供することを目的とする。【解決手段】本発明の表示装置システムに係る表示装置１２は、ＬＥＤ等の発光素子をマトリックス状に配置し各種の文字や映像等を表示する表示部３１と、表示部３１の表示内容の制御を行なう制御部３５と、ＩＤ生成手段３２と、各表示装置１２固有の識別情報となるＩＤを格納したＩＤ格納部３３と、ＬＡＮに接続するための通信手段３４とを備え、上記目的を達成する。【選択図】図３
2006343543.tif 000002
【特許請求の範囲】
【請求項１】
複数の表示装置と、制御装置とを備え、通信により、前記制御装置が前記表示装置の表示内容の制御を行なう表示装置システムにおいて、前記表示装置は、ＩＤ生成手段を備え、前記制御装置との通信は、前記ＩＤ生成手段により生成されたＩＤにより通信を行なうことを特徴とする表示装置システム。
【請求項２】
前記通信は、バス接続方式で行なうことを特徴とする請求項１記載の表示装置システム。
【請求項３】
前記通信は、無線方式で行なうことを特徴とする請求項１記載の表示装置システム。
【発明の詳細な説明】
【技術分野】
【０００１】
本発明は、複数の表示装置により各種の情報表示を行なう表示装置システムに関するものである。
【背景技術】
【０００２】
従来から、複数のＬＥＤ発光体をマトリックス状に配置し、個々のＬＥＤ発光体の点滅制御により、文字や図形を表示する表示装置がある。
【０００３】
また、複数台の表示装置を異なる場所に設置し、各表示装置を通信回線で接続し、交通情報などを表示する表示装置システムがある。
【０００４】
図６は、このような表示装置システムの構成図である。
【０００５】
図６に示されるように、表示装置システムは、複数台の表示装置１と、個々の表示装置１の表示内容を制御する制御装置２と、表示データの作成／編集を行なうパソコンなどの入力装置５とを備え、制御装置２と個々の表示装置１は、構内回線などの専用回線によりディジーチェーン方式で鎖状に接続され、集中管理ができるような構成になっている（例えば、特許文献１）。
【０００６】
このような表示装置システムでは、個々の表示装置を識別するために各表示装置１のそれぞれにユニークなＩＤを付与する必要が有るが、従来の表示装置システムにおいては各表示装置に配設されたディップスイッチ等のＩＤ付与手段により付与している。
【０００７】
また、制御装置１からの表示データなどの各種の情報は、送信データの先頭にＩＤを付与し送信され、一方、各表示装置１は、受信すべきデータか否かをＩＤにより判別し、必要な情報のみを抽出するようにすることで、各表示装置１で異なる表示内容を表示できるようにしている。
【０００８】
また、近年では、ＩＤの付与方法が煩雑であるという課題に鑑み、人手に関わらずＩＤを自動で付与する技術も公開されている（例えば、特許文献２）。
【特許文献１】特開平１１−２１２５２７号公報
【特許文献２】特開２０００−２００４２号公報
【発明の開示】
【発明が解決しようとする課題】
【０００９】
しかしながら、従来の表示装置システムでは、接続方式がディジーチェーン方式であるため、例えば、制御装置の最も近くに設置された表示装置が故障した場合においては、専用回線に接続された全ての表示装置の動作を停止させなければならず、正常に動作している表示装置であっても修理が完了するまで表示を行なうことができないという課題がある。
【００１０】
本発明は、前記課題に鑑み、自動でＩＤを付与することができるとともに、個々の表示装置が故障などで停止しても、他の表示装置は、その影響を受けずに動き続けることができる表示装置システムを提供することを目的とする。
【課題を解決するための手段】
【００１１】
上記目的を達成するために、請求項１記載の発明は、複数の表示装置と、制御装置とを備え、通信により、前記制御装置が前記表示装置の表示内容の制御を行なう表示装置システムであって、前記表示装置は、ＩＤ生成手段を備え、前記制御装置との通信は、前記ＩＤ生成手段により生成されたＩＤにより通信を行なう表示装置システムである。
【００１２】
係る構成によれば、個々の表示装置自体がＩＤを生成するため、人手を煩わすことがない。
【００１３】
また、請求項２記載の発明は、請求項１記載の発明において、前記通信は、バス接続方式で行なう表示装置システムである。
【００１４】
係る構成によれば、特定の表示装置の故障などにより修理する場合においても、制御装置と他の表示装置との通信はできるため、他の表示装置の動作を停止させずに修理することが可能になる。
【００１５】
また、請求項３記載の発明は、請求項１記載の発明において、前記通信は、無線方式で行なう表示装置システムである。
【００１６】
係る構成によれば、特定の表示装置の故障などにより修理する場合においても、制御装置と他の表示装置との通信はできるため、他の表示装置の動作を停止させずに修理することが可能になる。
【発明の効果】
【００１７】
以上説明したように、本発明の表示装置システムによれば、人手を煩わすことなく、自動で個々の表示装置毎にＩＤを付与することができる。
【００１８】
また、本発明の表示装置システムによれば、例えば、バス接続方式により通信できるため、特定の表示装置の故障などにより修理する場合においても、制御装置と他の表示装置との通信はでき、他の表示装置の動作を停止させずに修理することが可能になる。
【発明を実施するための最良の形態】
【００１９】
以下本発明の実施の形態について、図面を参照しながら説明する。
【００２０】
図１は本発明の表示装置システムの構成図である。
【００２１】
図１に示されるように、本発明の表示装置システムは、制御装置１１と複数の表示装置１２がＬＡＮなどのネットワーク通信手段１３によりバス方式で接続されている。
【００２２】
図２は、本発明の表示装置システムに係る制御装置の内部構成を示すブロック図である。
【００２３】
図２に示されるように、制御装置１１は、ユーザーインターフェースとなる表示部２７及び入力手段２６と、制御装置１１全体の制御を行なう制御部２５と、ＬＡＮに接続するための通信手段２２と、複数の表示装置１２のＩＤを格納するＩＤ格納部２１と、表示装置１２に表示される表示データを格納する表示データ格納部２３とを備えている。
【００２４】
図３は本発明の表示装置システムに係る表示装置の内部構成を示すブロック図である。
【００２５】
図３に示されるように、表示装置１２は、ＬＥＤ等の発光体をマトリックス状に配置し各種の文字や映像等を表示する表示部３１と、表示部３１の表示内容の制御を行なう制御部３５と、ＩＤ生成手段３２と、各表示装置１２固有の識別情報となるＩＤが格納されるＩＤ格納部３３と、ＬＡＮに接続するための通信手段３４と、を備えている。
【００２６】
ここでＩＤ生成手段３２で生成するＩＤは、乱数や高速にカウントアップを続けるフリーランカウンタの値を使用しても良い。
【００２７】
次に、本発明の表示装置システムのＩＤの付与方法について図面を参照しながら説明する。
【００２８】
図４は、ＩＤ付与の動作において、制御装置１１と表示装置１２との間で使用される電文のフォーマットを示す構成図である。
【００２９】
図４に示されるように、制御装置１１と表示装置１２との通信は、表示装置からの要求及び制御装置からの応答内容が格納される電文情報５３と、表示装置のＩＤ生成手段で生成された仮のＩＤが格納される仮ＩＤ情報５１とから構成される電文５０により行なわれる。
【００３０】
次に、ＩＤが付与されるまでの制御装置１１と表示装置１２の動作について図５のシーケンス図を基に説明する。
【００３１】
図５に示されるように、まずＩＤが付与されていない表示装置１２は電源が投入されると、ＩＤ生成手段３２によりＩＤを生成し、生成されたＩＤを仮のＩＤとする（ステップＳ１）。
【００３２】
次に、表示装置１２は、生成された仮のＩＤを格納したＩＤ付与要求電文を制御装置１１に対し送信する（ステップＳ２）。
【００３３】
次に、ＩＤ付与要求電文を受信した制御装置１１は受信した電文の仮ＩＤ情報５１に格納されたＩＤが使用されたことが無い新規ＩＤか否かを判定する（ステップＳ４）。
【００３４】
ステップＳ４の判定の結果、使用されたことがあるＩＤである場合、制御装置１１は、拒否電文を送信する（ステップＳ３）。
【００３５】
ステップＳ４の判定の結果、使用されたことが無いＩＤである場合、仮ＩＤ情報５１に格納されたＩＤと同一のＩＤを格納した承諾電文を送信し（ステップＳ５）、正規のＩＤとしてＩＤ格納部２１に格納する（ステップＳ８）。
【００３６】
一方、表示装置１２は、受信された電文の仮ＩＤ情報が自身のＩＤ生成手段３２で生成されたＩＤか否かを判定し（ステップＳ６）、自信のＩＤ生成手段３２で生成されたＩＤである場合、承諾電文であるか否かを判定し（ステップＳ７）、受信された電文が、承諾電文である場合、仮ＩＤをＩＤ格納部３３に格納し（ステップＳ９）、設定している人にＩＤの設定が完了したことを知らせるとともに、付与されたＩＤとその対応する表示装置１２を知らせるため、表示部３１に例えば、「ＩＤ番号」の文字を表示する（ステップＳ１０）。
【００３７】
また、ステップＳ７の判定の結果、承諾電文で無い場合、即ち拒否電文である場合においては、再度、ステップＳ１から処理を行なう。
【００３８】
以上説明したように、本発明の表示装置システムによれば、表示装置がＩＤ発生手段を備えることで、人手を煩わすことなく自動でＩＤを付与することができる。
【００３９】
また、上記のようにＬＡＮによるバス接続方式であれば、特定の表示装置の故障による修理の際にも、ディジーチェーン接続方式のように他の表示装置を停止させずに、個々の表示装置の修理や点検が可能となる。
【００４０】
また、複数の表示ユニットの組合わせにより、大型表示装置を構成する場合においても、個々の表示ユニットに、ＩＤ生成手段を配設することにより適用することができる。
【００４１】
なお、上記説明では、優先のバス接続方式で説明したが、これに限られるものではなく、本表示装置のＩＤの付与方法は、無線通信方式に対しても適用することができる。
【産業上の利用可能性】
【００４２】
本発明は、複数の表示装置あるいは表示ユニットを制御する技術として有用である。
【図面の簡単な説明】
【００４３】
【図１】本発明の表示装置システムの構成図
【図２】本発明の表示装置システムに係る制御装置の内部構成を示すブロック図
【図３】本発明の表示装置システムに係る表示装置の内部構成を示すブロック図
【図４】本発明の表示装置システムにおけるＩＤの付与方法を示す通信シーケンス図
【図５】本発明の表示装置システムに係る電文のフォーマットを示す構成図
【図６】従来の表示装置システムの構成図
【符号の説明】
【００４４】
１、１２  表示装置
２、１１  制御装置
【図１】
2006343543.tif 000003
【図２】
2006343543.tif 000004
【図３】
2006343543.tif 000005
【図４】
2006343543.tif 000006
【図５】
2006343543.tif 000007
【図６】
2006343543.tif 000008